(57)【要約】【課題】カード上の表示の向きによらない均一な操作性を実現することにより、多彩なユーザインタフェースに対応可能な携帯情報端末を提供。【解決手段】図形、記号、文字列、数字等が表示されたカードが挿入される携帯情報端末において、当該図形、記号、文字列、数字等の各表示に対応した当該携帯情報端末の動作に関する情報を記憶する記憶手段と、当該記憶手段から当該動作情報を読み出す読出手段と、当該各表示に対するユーザからの操作入力を受ける入力手段と、当該操作入力と当該制御情報に基づき当該携帯情報端末の動作を制御する制御手段と、当該動作に基づく表示を行う表示手段と、当該表示に基づく当該カードの向きを判定するカード向き判定手段と、当該カード向きと当該表示手段による表示の向きが一致するよう当該表示手段による表示の向きを変換する表示情報変換手段を備えることを特徴とする携帯情報端末。【選択図】        図１
2004334564.tif 000002
【特許請求の範囲】
【請求項１】
図形、記号、文字列、数字等が表示されたカードが挿入される携帯情報端末において、当該図形、記号、文字列、数字等の各表示に対応した当該携帯情報端末の動作に関する情報を記憶する記憶手段と、当該記憶手段から当該動作情報を読み出す読出手段と、当該各表示に対するユーザからの操作入力を受ける入力手段と、当該操作入力と当該制御情報に基づき当該携帯情報端末の動作を制御する制御手段と、当該動作に基づく表示を行う表示手段と、当該表示に基づく当該カードの向きを判定するカード向き判定手段と、当該カード向きと当該表示手段による表示の向きが一致するよう当該表示手段による表示の向きを変換する表示情報変換手段を備えることを特徴とする携帯情報端末。
【請求項２】
請求項１記載の携帯情報端末において、当該入力手段は、操作入力対象となる当該表示を当該カードに重ね合わせて選択的に表示する選択表示手段を備えることを特徴とする携帯情報端末。
【請求項３】
請求項１又は２記載の携帯情報端末において、当該入力手段から得られる操作入力を当該カード向き判定手段の判定結果に基づいて変換する入力情報変換手段を備えることを特徴とする携帯情報端末。
【請求項４】
請求項３記載の携帯情報端末において、当該入力手段はキー入力手段であり、当該入力情報変換手段はキーに割り付けられる役割の変換を行うことを特徴とする携帯情報端末。
【請求項５】
請求項３記載の携帯情報端末において、当該入力手段はペン入力手段であり、当該入力情報変換手段はペン入力情報の座標変換を行うとこと特徴とする携帯情報端末。
【発明の詳細な説明】
【０００１】
【発明の属する技術分野】
本発明は携帯情報端末に係り、特に図形、記号、文字列、数字等が表示されたカードが挿入される携帯情報端末に関するものである。
【０００２】
【従来の技術】
従来、図形、記号、文字列、数字等が表示されたカードが挿入される携帯情報端末において、当該各表示に対する当該携帯情報端末の動作に基づく表示は当該端末のデザインにより一方向に定められていた。
【０００３】
【特許文献１】
特開２００２−２４０６４号公報
【０００４】
【発明が解決しようとする課題】
しかしながら、カード上の表示のデザインによっては縦向きの方が良いもの、横向きの方が良いもの等様々で、カード上の表示の向きを変えた場合、操作し難いという欠点があった。
【０００５】
そこで本発明に係る目的は、カード上の表示の向きによらない均一な操作性を実現することにより、多彩なユーザインタフェースに対応可能な携帯情報端末を提供することにある。
【０００６】
【課題を解決するための手段】
上記目的を達成するために、本発明に係る携帯情報端末は、図形、記号、文字列、数字等が表示されたカードが挿入される携帯情報端末において、当該図形、記号、文字列、数字等の各表示に対応した当該携帯情報端末の動作に関する情報を記憶する記憶手段と、当該記憶手段から当該動作情報を読み出す読出手段と、当該各表示に対するユーザからの操作入力を受ける入力手段と、当該操作入力と当該制御情報に基づき当該携帯情報端末の動作を制御する制御手段と、当該動作に基づく表示を行う表示手段と、当該表示に基づく当該カードの向きを判定するカード向き判定手段と、当該カード向きと当該表示手段による表示の向きが一致するよう当該表示手段による表示の向きを変換する表示情報変換手段を備えることにより、当該カードの向きに合わせて適切に出力情報を変換するよう動作する。
【０００７】
また、当該入力手段から得られる操作入力を当該カード向き判定手段の判定結果に基づいて変換する入力情報変換手段を備えることにより、当該カードの向きに合わせて適切に入力情報を変換するよう動作する。
【０００８】
なお、さらに詳細に説明すれば、本発明は下記の構成によって前記課題を解決できた。
【０００９】
（１）図形、記号、文字列、数字等が表示されたカードが挿入される携帯情報端末において、当該図形、記号、文字列、数字等の各表示に対応した当該携帯情報端末の動作に関する情報を記憶する記憶手段と、当該記憶手段から当該動作情報を読み出す読出手段と、当該各表示に対するユーザからの操作入力を受ける入力手段と、当該操作入力と当該制御情報に基づき当該携帯情報端末の動作を制御する制御手段と、当該動作に基づく表示を行う表示手段と、当該表示に基づく当該カードの向きを判定するカード向き判定手段と、当該カード向きと当該表示手段による表示の向きが一致するよう当該表示手段による表示の向きを変換する表示情報変換手段を備えることを特徴とする携帯情報端末。
【００１０】
（２）前記（１）記載の携帯情報端末において、当該入力手段は、操作入力対象となる当該表示を当該カードに重ね合わせて選択的に表示する選択表示手段を備えることを特徴とする携帯情報端末。
【００１１】
（３）前記（１）又は（２）記載の携帯情報端末において、当該入力手段から得られる操作入力を当該カード向き判定手段の判定結果に基づいて変換する入力情報変換手段を備えることを特徴とする携帯情報端末。
【００１２】
（４）前記（３）記載の携帯情報端末において、当該入力手段はキー入力手段であり、当該入力情報変換手段はキーに割り付けられる役割の変換を行うことを特徴とする携帯情報端末。
【００１３】
（５）前記（３）記載の携帯情報端末において、当該入力手段はペン入力手段であり、当該入力情報変換手段はペン入力情報の座標変換を行うとこと特徴とする携帯情報端末。
【００１４】
【発明の実施の形態】
（実施例１）
以下、本発明第１の実施例である携帯情報端末について、図１〜図４を用いて動作の説明を行う。
【００１５】
図１は本実施例における携帯情報端末に横向きのカードを挿入した場合の動作を説明する概念図である。
【００１６】
図１において、１００は携帯情報端末本体、１０１は液晶ディスプレイ等の表示画面、１１０は図形、記号、文字列、数字等が表示され、各表示に対応した当該携帯情報端末の動作に関する情報を記憶した横向きのユーザインタフェースカード（以下ＵＩカード）、１０２はＵＩカード１１０が挿入され、ＵＩカード上に透過性のペン入力パネルを供えるペン入力画面、１２０はペン入力用のペンである。
【００１７】
ＵＩカード１１０が携帯情報端末１００に挿入されると、携帯情報端末１００はＵＩカード１１０に記憶された各表示に対する動作情報と向きに関する情報を読み出し、ペン１２０によりＵＩカード１１０の表示上のペン入力画面１０２をクリックすると、その表示に対応した動作を行い、それに基づく表示が表示画面１０１に表示される。ここで、ＵＩカード１１０は横向きのＵＩカードであるため、表示画面１０１には横向きの画面が表示される。
【００１８】
図２は本実施例における携帯情報端末に縦向きのカードを挿入した場合の動作を説明する概念図である。
【００１９】
図２において、２１０は図形、記号、文字列、数字等が表示され、各表示に対応した当該携帯情報端末の動作に関する情報を記憶した縦向きのＵＩカードである。
【００２０】
図１の場合と同様に、ＵＩカード２１０が携帯情報端末１００に挿入されると、携帯情報端末１００はＵＩカード２１０に記憶された各表示に対する動作情報と向きに関する情報を読み出し、ペン１２０によりＵＩカード２１０の表示上のペン入力画面１０２をクリックすると、その表示に対応した動作を行い、それに基づく表示が表示画面１０１に表示される。但し、ＵＩカード２１０は縦向きのＵＩカードであるため、表示画面１０１には縦向きの画面が表示される。
【００２１】
図３は本実施例における携帯情報端末１００の機能構成を示すブロック図である。
【００２２】
図３において、３０１は磁気リーダ、バーコードリーダ、ＩＣカードリーダ等のカードに記憶された情報を読み出すカード情報読出部、３０２はカード情報読出部３０１で読み出した情報に基づき、カード上の各表示に対する携帯情報端末のユーザインタフェース（ＵＩ）動作を解析するＵＩ動作解析部、３０４はペン入力画面１０２の座標がペン１２０によりポイントされたことを検出するペン入力部、３０５はＵＩ動作解析部３０２から得られるＵＩ動作情報とペン入力部３０４から得られるペン入力情報に基づき、選択された表示に対するＵＩ動作を決定するペン入力動作制御部、３０６はペン入力動作制御部３０５により決定されたＵＩ動作に基づく表示画面に関連する情報を取得する画面データ取得部、３０７は無線通信、有線通信等の通信手段によりインターネットを介して画面データに関連する情報の送受信を行うインターネットアクセス部、３０８は画面データ取得部３０６により取得した情報から画面データを作成する画面データ作成部、３０９はカード向き判定部３０３による判定結果に基づき画面データ作成部３０８からの画面データの座標変換を行う画面データ座標変換部、３１０は画面データを表示画面１０１に表示する画面データ表示部である。
【００２３】
ＵＩ動作解析部３０２により、座標（ｘ１，ｙ１）から座標（ｘ２，ｙ２）までの矩形エリアのクリックが、あるホームページのＵＲＬ、例えばｈｔｔｐ：／／ｗｗｗ．ｃａｎｏｎ．ｃｏ．ｊｐ／へのアクセス動作であると解析され、ペン入力動作制御部３０５によりペン入力部３０４からのペン入力情報がその矩形エリア内のクリックであると判断されると、画面データ取得部３０６に対して、ｈｔｔｐ：／／ｗｗｗ．ｃａｎｏｎ．ｃｏ．ｊｐ／の各種ファイルを取得するよう指示され、画面データ取得部３０６はインターネットアクセス部３０７を介してそれらを取得する。画面データ作成部３０８ではそれらから画面データを作成し、その画面データは画面データ座標変換部３０９において、カード向き判定部３０３によるカード向きと同じ向きに座標変換され、画面データ表示部３１０により表示画面１０１に表示される。
【００２４】
図４は本実施例における携帯情報端末が横向きＵＩカード１１０と縦向きＵＩカード２１０とを区別するための概念図である。
【００２５】
図４において、４０１はバーコード情報を用いて縦向き、横向きを区別する例、４０２は所定の位置にマークを設け区別する例、４０３はＩＣ内の情報で区別する例、４０４は磁気情報で区別する例、４０５はカードの所定の位置に穴をあけて区別する例、４０６はカードの外形を変えて区別する例である。尚、ＵＩ動作に関するカード情報はバーコード情報４０１、ＩＣ４０３、磁気情報４０４等により記憶される。
【００２６】
尚、本実施例ではインターネットアクセス部３０７によるホームページ画面を表示する例を示したが、イントラネットへのアクセス、サーバとの直接接続、端末自身の記憶媒体へのアクセス等の接続形態の変更、データベース情報の表示、ビデオ映像の表示、写真画像の表示等の表示メディアの変更においても同様の効果が得られる。
【００２７】
（実施例２）
以下、本発明第２の実施例である携帯情報端末について、図５〜図７を用いて動作の説明を行う。
【００２８】
図５は本実施例における携帯情報端末に横向きのカードを挿入した場合の動作を説明する概念図である。
【００２９】
図５において、５００は携帯情報端末本体、５１０は、図形、記号、文字列、数字等が表示され、各表示に対応した当該携帯情報端末の動作に関する情報とそれら各表示を選択表示するための情報を記憶した横向きのＵＩカード、５０２は、ＵＩカード５１０に記憶されたＵＩ動作情報に基づき、ＵＩ動作を伴う各表示の選択表示５３０を行う選択表示画面、５０３ａ、５０３ｂ、５０３ｃ、５０３ｄはＵＩカード５１０に対する操作を入力するキーである。
【００３０】
ＵＩカード５１０が携帯情報端末５００に挿入されると、携帯情報端末５００はＵＩカード５１０に記憶された各表示に対するＵＩ動作情報、選択表示情報、向きに関する情報を読み出し、キー５０３ｃが押下されると選択表示画面５０２上に表示する選択表示５３０が次の選択表示へと移動し、キー５０３ａが押下されると前の選択表示へと移動し、キー５０３ｄが押下されると選択表示５３０に対応したＵＩ動作を実行、例えばホームページｈｔｔｐ：／／ｗｗｗ．ｃａｎｏｎ．ｃｏ．ｊｐ／へのアクセスを行い、その結果を表示画面１０１に表示する。
また、キー５０３ｂが押下されると実行中の処理を中止する。ここで、カード５１０は横向きカードであるため、表示画面１０１にも同様に横向きで表示される。
【００３１】
図６は本実施例における携帯情報端末に縦向きのカードを挿入した場合の動作を説明する概念図である。
【００３２】
図６において、６１０は、図形、記号、文字列、数字等が表示され、各表示に対応した当該携帯情報端末の動作に関する情報とそれら表示を選択表示するための情報を記憶した縦向きのＵＩカードである。
【００３３】
ＵＩカード６１０が携帯情報端末５００に挿入されると、図５の場合と同様、携帯情報端末５００はＵＩカード６１０に記憶された各表示に対するＵＩ動作情報、選択表示情報、向きに関する情報を読み出し、キー５０３ｂが押下されると選択表示５３０が次の選択表示へと移動し、キー５０３ｄが押下されると前の選択表示へと移動し、キー５０３ｃが押下されると選択表示５３０に対応したＵＩ動作を実行、例えばホームページｈｔｔｐ：／／ｗｗｗ．ｃａｎｏｎ．ｃｏ．ｊｐ／へのアクセスを行い、その結果を表示画面１０１に表示する。また、キー５０３ａが押下されると実行中の処理を中止する。ここで、カード６１０は縦向きカードであるため、表示画面１０１にも同様に縦向きで表示される。
【００３４】
図７は本実施例における携帯情報端末５００の機能構成を示すブロック図である。
【００３５】
図７において、７０４は何れのキーが押下されたのかを検出するキー入力部、７０５は押下されたキー情報とカード向き判定部３０３の向き情報に基づき、キーの役割を決定し、それに対する動作を決定するキー入力動作制御部である。
【００３６】
キー入力部７０４においてキー５０３ｄの押下が検出され、カード向き判定部３０３により例えば縦向きカードであると判定されると、キー入力動作制御部７０５は「前選択」キーが押下されたものと判断し、選択表示画面５０２上の選択表示５３０を前の選択表示に移動し、５０３ｂの押下が検出されると「次選択」キーが押下されたものと判断し、選択表示５３０を次の選択表示に移動し、５０３ｃの押下が検出されると「実行」キーが押下されたものと判断し、その時の選択表示５３０のＵＩ動作、例えばｈｔｔｐ：／／ｗｗｗ．ｃａｎｏｎ．ｃｏ．ｊｐ／  のアクセスを画面データ取得部３０６に指示する。画面データ取得部３０６以降画面表示までの動作は実施例１と同様である。
【００３７】
尚、縦向きカード５１０と横向きカード６１０の区別も実施例１と同様である。
【００３８】
（実施例３）
以下、本発明第２の実施例である携帯情報端末について、図８〜図１０を用いて動作の説明を行う。
【００３９】
図８は本実施例における携帯情報端末に横向きのカードを挿入した場合の動作を説明する概念図である。
【００４０】
図８において、８００は携帯情報端末本体、８１０はＵＩ動作として手書き文字入力機能を備える横向きのＵＩカード、８０２は手書き文字入力時等にペンの筆跡を表示する機能を備える透過性のペン入力画面である。
【００４１】
ＵＩカード８１０が携帯情報端末８００に挿入されると、携帯情報端末８００はＵＩカード８１０に記憶された各表示に対するＵＩ動作情報、向きに関する情報を読み出し、ＵＩカード８１０が示すペン入力枠上にペン１２０で手書き文字入力を行うと、ペン入力画面８０２に筆跡が表示され、文字認識した結果を表示画面１０１に表示する。ここで、ＵＩカード８１０は横向きＵＩカードであるため、手書き文字入力はペン入力画面８０２が横向きの状態のまま入力可能で、表示画面１０１の表示も横向きとなる。
【００４２】
図９は本実施例における携帯情報端末に縦向きのカードを挿入した場合の動作を説明する概念図である。
【００４３】
図９において、９１０はＵＩ動作として手書き文字入力機能を備える縦向きのＵＩカードである。
【００４４】
ＵＩカード９１０が携帯情報端末８００に挿入されると、図８の場合と同様、携帯情報端末８００はＵＩカード９１０に記憶された各表示に対するＵＩ動作情報、向きに関する情報を読み出し、ＵＩカード９１０が示すペン入力枠上にペン１２０で手書き文字入力を行うと、ペン入力画面８０２に筆跡が表示され、文字認識した結果を表示画面１０１に表示する。ここで、ＵＩカード９１０は縦向きＵＩカードであるため、手書き文字入力はペン入力画面８０２が縦向きの状態のまま入力可能で、表示画面１０１の表示も縦向きとなる。
【００４５】
図１０は本実施例における携帯情報端末８００の機能構成を示すブロック図である。
【００４６】
図１０において、１００５はペン入力部３０４を介して得られるペン入力情報とＵＩ動作解析部３０２から得られるＵＩ動作情報に基づき、例えばペン入力枠に対応するペン入力画面８０２への筆跡表示、手書き文字情報の切り出し等を行うペン入力動作制御部、１００６はペン入力された手書き文字情報の座標変換を行う入力データ座標変換部、１００７は手書き文字情報から文字認識を行う文字認識部、１００８は文字認識結果から表示画面のデータを作成する画面データ作成部である。
【００４７】
カード情報読出部３０１により読み出されたカード情報より、ＵＩ動作解析部３０２によって、例えば座標（ｘ１，ｙ１）と座標（ｘ２，ｙ２）との矩形エリアが文字入力枠であると解析されると、ペン入力動作制御部１００５により、ペン入力部３０４からのペン入力情報が文字入力枠内への入力であるか判断され、文字入力枠内への入力であればペン入力画面８０２に筆跡表示され、タイムアウト等により１文字入力の完了が判断されると、入力データ座標変換部１００６によりカード向き判定部３０３の結果に基づいた入力データの座標変換が行われ、その結果が文字認識部１００７により文字認識される。画面データ作成部１００８は認識結果に基づき画面データを作成し、以下画面表示まで実施例１と同様の動作を行う。
【００４８】
尚、縦向きカード８１０と横向きカード９１０の区別も実施例１と同様である。
【００４９】
【発明の効果】
以上説明したように、本発明によれば、図形、記号、文字列、数字等が表示されたカードが挿入される携帯情報端末において、当該図形、記号、文字列、数字等の各表示に対応した当該携帯情報端末の動作に関する情報を記憶する記憶手段と、当該記憶手段から当該動作情報を読み出す読出手段と、当該各表示に対するユーザからの操作入力を受ける入力手段と、当該操作入力と当該制御情報に基づき当該携帯情報端末の動作を制御する制御手段と、当該動作に基づく表示を行う表示手段と、当該表示に基づく当該カードの向きを判定するカード向き判定手段と、当該カード向きと当該表示手段による表示の向きが一致するよう当該表示手段による表示の向きを変換する表示情報変換手段を備えることにより、当該カードの向きに合わせて適切に出力情報を変換するよう動作し、また、当該入力手段から得られる操作入力を当該カード向き判定手段の判定結果に基づいて変換する入力情報変換手段を備えることにより、当該カードの向きに合わせて適切に入力情報を変換するよう動作し、多彩なユーザインタフェースに対応可能な携帯情報端末を提供できる効果がある。
【図面の簡単な説明】
【図１】実施例１における携帯情報端末に横向きのカードを挿入した場合の動作を説明する概念図
【図２】実施例１における携帯情報端末に縦向きのカードを挿入した場合の動作を説明する概念図
【図３】実施例１における携帯情報端末の機能構成を示すブロック図
【図４】実施例１〜３における携帯情報端末が横向きＵＩカードと縦向きＵＩカードとを区別するための概念図
【図５】実施例２における携帯情報端末に横向きのカードを挿入した場合の動作を説明する概念図
【図６】実施例２における携帯情報端末に縦向きのカードを挿入した場合の動作を説明する概念図
【図７】実施例２における携帯情報端末の機能構成を示すブロック図
【図８】実施例３における携帯情報端末に横向きのカードを挿入した場合の動作を説明する概念図
【図９】実施例３における携帯情報端末に縦向きのカードを挿入した場合の動作を説明する概念図
【図１０】実施例３における携帯情報端末の機能構成を示すブロック図
【符号の説明】
１００  実施例１における携帯情報端末
１０１  表示画面
１０２  ペン入力画面
１１０  実施例１における横向きＵＩカード
１２０  入力用ペン
２１０  実施例１における縦向きＵＩカード
３０３  カード向き判定部
３０９  画面データ座標変換部
５００  実施例２における携帯情報端末
５０２  選択表示画面
５０３ａ〜ｄ  入力キー
５１０  実施例２における横向きＵＩカード
５３０  選択図形表示の一例
６１０  実施例２における縦向きＵＩカード
７０５  キー入力動作制御部
８００  実施例３における携帯情報端末
８０２  筆跡表示機能付きペン入力画面
８１０  実施例３における横向きＵＩカード
９１０  実施例３における縦向きＵＩカード
１００６  入力データ座標変換部
１００７  文字認識部
【図１】
2004334564.tif 000003
【図２】
2004334564.tif 000004
【図３】
2004334564.tif 000005
【図４】
2004334564.tif 000006
【図５】
2004334564.tif 000007
【図６】
2004334564.tif 000008
【図７】
2004334564.tif 000009
【図８】
2004334564.tif 000010
【図９】
2004334564.tif 000011
【図１０】
2004334564.tif 000012